(57)【要約】【課題】  重量増加を抑えながらヘッドとシャフトとを着脱可能にすることのできるパークゴルフ用クラブを提供する。【解決手段】  クラウン側とソール側とを連通する円柱状の開口が設けられたヘッドと、雌ネジ孔が螺刻されたシャフト側挿入部材が、その先端内側に固設されたシャフトと、を備え、前記ヘッドの前記開口の内部には、雌ネジ孔が螺刻されたヘッド側挿入部材が固設され、前記ヘッドのクラウン側の開口に挿入された前記シャフトが、前記ヘッドのソール側の開口より螺挿された固定部材により、前記ヘッド側挿入部材を介して前記ヘッドに対して固定されることを特徴とする。【選択図】図１
2016036567.tif 000002
【特許請求の範囲】
【請求項１】
クラウン側とソール側とを連通する開口が設けられたヘッドと、
雌ネジ孔が螺刻されたシャフト側挿入部材を、その先端内側に有するシャフトと、を備え、
前記ヘッドの前記開口の内部には、雌ネジ孔が螺刻されたヘッド側挿入部材が固設され、
前記ヘッドのクラウン側開口に挿入された前記シャフトは、前記ヘッドのソール側開口より螺挿された固定部材により、前記ヘッド側挿入部材を介して前記ヘッドに対して固定される、
ことを特徴とするパークゴルフ用クラブ。  
【請求項２】
請求項１に記載のパークゴルフ用クラブにおいて、
前記ソール側開口は、前記クラウン側開口よりも大径の円柱状空隙であり、
前記ヘッド側挿入部材は、前記クラウン側開口とソール側開口との境界部に形成される壁部に当接した状態で固定される、
ことを特徴とするパークゴルフ用クラブ。
【請求項３】
請求項１又は請求項２に記載のパークゴルフ用クラブにおいて、
前記シャフトの先端部には、前記ヘッド側挿入部材に形成された凹部に嵌合する凸状部が形成され、
前記シャフトと前記ヘッド側挿入部材とが嵌合した状態で、前記シャフトが前記ヘッドに対して固定される、
ことを特徴とするパークゴルフ用クラブ。
【発明の詳細な説明】
【技術分野】
【０００１】
本発明は、パークゴルフ用クラブに関し、特にヘッドとシャフトとを着脱可能なパークゴルフ用クラブに関するものである。
【背景技術】
【０００２】
一般的なゴルフクラブにおいては、ゴルファーの力量や嗜好に合わせてシャフトとゴルフクラブヘッド（以下、「ヘッド」という）とを自由に組み合わせることができるよう、シャフトとヘッドとを着脱交換可能にしたゴルフクラブが知られている。
【０００３】
例えば、特許文献１には、シャフトを挿入したソケットと、ヘッド本体とを、固定ボルトを用いて互いに固着できるようにしたゴルフクラブが開示されている。
【先行技術文献】
【特許文献】
【０００４】
【特許文献１】特開２００６−４２９５１
【発明の概要】
【発明が解決しようとする課題】
【０００５】
パークゴルフ用のクラブにおいても、嗜好の高まりにより、シャフトとヘッドとを交換可能なクラブが望まれている。しかしながら、パークゴルフ用のクラブはシャフト径が通常のゴルフクラブに比べて大きく、特許文献１のようにソケットを介してヘッドとシャフトとを固着する場合、ソケットの質量が大きくなりヘッド重量が増加するという課題がある。
【０００６】
本発明は、上記課題を解決するためになされたものであり、ヘッドの重量増加を抑えながら、ヘッドとシャフトとを着脱することができるパークゴルフ用クラブを提供することを目的とする。
【課題を解決するための手段】
【０００７】
上記課題を解決するため、本発明の請求項１に係るパークゴルフ用クラブは、クラウン側とソール側とを連通する開口が設けられたヘッドと、雌ネジ孔が螺刻されたシャフト側挿入部材を、その先端内側に有するシャフトとを備え、前記ヘッドの前記開口の内部には、雌ネジ孔が螺刻されたヘッド側挿入部材が固設され、前記ヘッドのクラウン側開口に挿入された前記シャフトは、前記ヘッドのソール側開口より螺挿された固定部材により、前記ヘッド側挿入部材を介して前記ヘッドに対して固定されることを特徴とする。
【０００８】
これにより、シャフトを被覆する大型のソケットを利用することなくシャフトとヘッドとを着脱可能に固定することができる。
【０００９】
また、本発明の請求項２に係るパークゴルフ用クラブは、請求項１に記載のパークゴルフ用クラブにおいて、前記ソール側開口は、前記クラウン側開口よりも大径の円柱状空隙であり、前記ヘッド側挿入部材は、前記クラウン側開口とソール側開口との境界部に形成される壁部に当接した状態で固定されることを特徴とするものである。
【００１０】
これにより、ヘッド側挿入部材がクラウン側に脱落するのを防止することができる。
【００１１】
また、本発明の請求項３に係るパークゴルフ用クラブは、請求項１または請求項２に記載のパークゴルフ用クラブにおいて、前記シャフトの先端部には、前記ヘッド側挿入部材に形成された凹部に嵌合する凸状部が形成され、前記シャフトと前記ヘッド側挿入部材とが嵌合した状態で前記シャフトが前記ヘッドに対して固定されることを特徴とするものである。
【００１２】
これにより、ヘッドとシャフトとを固定した際にシャフトが回転するのを防止することができる。
【発明の効果】
【００１３】
本発明によれば、クラウンからソールまでを貫通する開口をヘッドに設け、ヘッドとシャフトのそれぞれの内部に、雌ネジ孔を有する挿入部材を固定し、ヘッドのソール側開口より挿入した固定部材を用いてヘッドとシャフトとを固定することとしたので、ユーザーは容易にヘッドとシャフトとを着脱交換することが可能となる。また、シャフトの先端内側に、雌ネジ孔を有するシャフト側挿入部材を固定することとしたので、シャフトの着脱機構を小型化することができ、これによりヘッドの重量増加を抑えることが可能となり、ヘッド設計の自由度を確保することができる。
【図面の簡単な説明】
【００１４】
【図１】本発明によるパークゴルフ用クラブの概略図である。
【図２】本発明によるパークゴルフ用クラブの平面図である。
【図３】図２におけるＡＡ断面図である。
【図４】本発明によるパークゴルフ用の分解模式断面図である。
【図５】ヘッドとシャフトの嵌合状態を示す図である。
【発明を実施するための形態】
【００１５】
（実施の形態１）
図１は、本実施の形態１に係るパークゴルフ用クラブ１００（以下、「クラブ１００」という。）の概略図である。図２は、クラブ１００の平面図を表し、図３は、図２中のＡＡ断面を表す。また、図４はクラブ１００の分解模式断面図である。
【００１６】
クラブ１００は、図１ないし図４に示すとおり、ヘッド１０とシャフト２０とより構成される。以下、ヘッド１０とシャフト２０の詳細を説明する。
【００１７】
図１、及び図２において、ヘッド１０は、打球面をなすフェース１１と、ヘッド１０の上面を構成するクラウン１２と、ヘッド１０の底面を構成するソール１３と、ヘッド１０の側面であって、クラウン１２とソール１３とを接続するサイド部１４とを備える。ヘッド１０は、パーシモン等の木材より切削された中実構造体である。フェース１１はヘッド１０の本体部とは別部材としてもよく、例えば炭素繊維で成型した平板材をヘッド１０の本体正面に固定してもよい。
【００１８】
図４に示すように、ヘッド１０のクラウン１２側、及びソール１３側には、クラウン１２とソール１３とを連通するクラウン側開口１５とソール側開口１６とが設けられている。クラウン側開口１５はシャフト２０の挿入口であり、シャフト２０と略同一径の円柱状にくり貫かれた空隙である。ソール側開口１６は、シャフト２０をヘッド１０に固定するためのヘッド側挿入部材３０が固定される空隙であり、クラウン側開口１５と同心かつクラウン側開口１５よりも大径の円柱状にくり貫かれている。ソール側開口１６とクラウン側開口１５とを異系とすることで、クラウン側開口１６とソール側開口１６との境界部には、互いの直径差に応じて生じる環状の係止壁１７が形成される。
【００１９】
ソール側開口１６内に固定されるヘッド側挿入部材３０は、アルミ、ＳＵＳステンレス、チタン、鉄などの金属材料よりなる有底円筒状部材であり、その底面３０ａの中央部には雌ネジ孔が螺刻される。ヘッド側挿入部材１０は、底面３０ａ側よりソール側開口１６内に挿入され、図３に示すように、底面３０ａが係止壁１７に当接した状態でヘッド本体１１に接着される。
【００２０】
ヘッド側挿入部材３０は、底面３０ａの厚みを３ｍｍ以上にするのが好ましい。これは、底面３０ａの厚みを３ｍｍ以上、すなわち雌ネジ孔長を３ｍｍ以上とすることで、固定部材を用いてシャフト２０を固定するのに必要な強度を確保できることによるものである。また、ヘッド側挿入部材３０の全高は、５ｍｍ以上とするのが好ましい。これは、全高を５ｍｍ以上とすることで、ヘッド側挿入部材３０とヘッド１０との十分な接着強度を確保できることによる。
【００２１】
次に、シャフト２０について説明する。
【００２２】
シャフト２０は炭素繊維あるいはステンレスなどの金属材料よりなる中空状部材であり、その先端内面には、図３あるいは図４に示すように、シャフト２０をヘッド１０に固定するためのシャフト側挿入部材４０が、シャフト２０の端面と面一の状態で接着固定されている。シャフト２０の他端には、人工皮革あるいはラバー製のグリップ（図示せず）が設けられる。
【００２３】
シャフト側挿入部材４０は、アルミ、ＳＵＳステンレス、チタン、鉄などの金属材料よりなる円筒状部材であり、その内側には、ヘッド側挿入部材３０に施された雌ネジ孔と同一径、かつ同一ピッチの雌ネジ孔が螺刻されている。シャフト側挿入部材４０は、シャフト２０の内径と略同一の外径を有しており、シャフト２０の内部に接着固定される。
【００２４】
シャフト側挿入部材４０は、ヘッド１０とシャフト２０とを固定するのに必要な強度を確保する観点より、３ｍｍ以上の雌ネジ孔を確保するのが好ましい。シャフト側挿入部材４０の全高は、３ｍｍ以上、好ましくは５ｍｍ以上である。これは、全高を５ｍｍ以上とすることで、シャフト２０への十分な接着強度を確保できることによるものである。シャフト側挿入部材４０は、上述したサイズ条件を満たす限りにおいて、有底円筒形状など様々な形状とすることができる。
【００２５】
以上のように構成されるヘッド１０とシャフト２０によれば、ネジなどの固定部材５０を用いて互いを着脱可能に固定することができる。具体的には、クラウン側開口１５より、シャフト２０を本体側挿入部材３０に当接するまで挿入する。次に、ソール側開口１６より、固定部材５０をヘッド側挿入部材３０の雌ネジ孔に螺挿し、固定部材５０の頭部が本体側挿入部材３０の内側壁に圧着するまで固定部材５０を締め込んでいく。これにより、ヘッド１０とシャフト２０とを固定することができる。ユーザーは、他のシャフトや他のヘッドを選択する際には、固定部材５０を緩めてシャフト２０をヘッド１０より取り外し、他のシャフト２０をヘッド１０に組み付けることができる。
【００２６】
以上のように本実施の形態１によるパークゴルフ用クラブによれば、クラウン１２からソール１３までを貫通する開口をヘッド１０に設け、ヘッド１０の内部とシャフト２０の内部のそれぞれに、雌ネジ孔を有する挿入部材を固定し、ヘッド１０のソール側開口より固定部材を用いてヘッド１０とシャフト２０とを固定することとしたので、ユーザーは容易にヘッド１０とシャフト２０とを着脱交換することが可能となる。
【００２７】
また、シャフト２０の内面側に、シャフト側挿入部材を固定することとしたので、シャフトを外側より収容するソケットを用いてシャフト２０をヘッド１０に固定する必要がなくなる。これにより、シャフト２０の着脱機構を小型化することができ、重量増加を抑えることが可能となる。さらに、クラウン１２側の開口１５とソール側の開口１６の径を異ならせることで本体側挿入部材３０を当接させる係止壁を設けることとしたので、本体側挿入部材３０のクラウン側への脱落を防止することができる。
【００２８】
なお、上述した実施形態においては、シャフト２０と、本体側挿入部材３０とを平滑面同士で当接させることとしたが、シャフト２０の先端部分と、本体側挿入部材３０とを、互いに凹凸の関係となるような嵌合形状とすることで、シャフトの回転を防止することができる。
【００２９】
図５は、シャフト２０と本体側挿入部材３０とを嵌合形状とした実施形態を表す断面模式図である。シャフト２０の先端部には、シャフト２０の円形端面のうち、半球部分を任意の高さで切り欠くことにより、かまぼこ型の凸状部が形成されている。一方、本体側挿入部材３０には、雌ネジ孔を中心とする半球部分のうち、シャフト２０の半径と同一径の領域を、シャフト２０に設けた凸状部と同じ高さ（深さ）で切り欠くことにより、かまぼこ状の凹状部が形成されている。
【００３０】
かかる凹凸構造が設けられたシャフト２０と本体側挿入部材３０とを用いることにより、図５右図に示すように、互いを固定部材５０を用いて固定した場合、シャフト２０の凸状部と、本体側挿入部材３０の凹状部とが嵌合するので、クラブ１００の使用に伴うシャフトの回転を防止することができ、固定部材の緩みを防止することが可能となる。なお、シャフト２０と本体側挿入部材３０に形成される凹凸形状はかまぼこ型に限られるものではなく、互いに嵌合可能な形状であればその形状は問わない。
【産業上の利用可能性】
【００３１】
本発明によれば、ヘッドとシャフトとを着脱可能なパークゴルフ用クラブを提供できる点において有用である。
【符号の説明】
【００３２】
１０  ヘッド
１１  フェース
１２  クラウン
１３  ソール
１４  サイド部
１５  クラウン側開口
１６  ソール側開口
１７  係止壁
２０  シャフト
３０  本体側挿入部材
４０  シャフト側挿入部材
５０  固定部材
１００  パークゴルフ用クラブ
【図１】
2016036567.tif 000003
【図２】
2016036567.tif 000004
【図３】
2016036567.tif 000005
【図４】
2016036567.tif 000006
【図５】
2016036567.tif 000007